(57)【要約】      （修正有）【課題】低音の再生によってより高い臨場感が得られるウェアラブルスピーカシステムを提供する。【解決手段】ウェアラブルスピーカシステム１００は、エンクロージャ１０１を備える。エンクロージャ１０１の第１端部領域には、第１スピーカユニット１０２Lと第１バスレフダクトの端部である第１開口部１０４Lとが配置され、第２端部領域には、第２スピーカユニット１０２Rと第２バスレフダクトの端部である第２開口部１０４Rとが配置される。第１および第２スピーカユニット１０２L、１０２Rそれぞれは、スピーカ１０３Ｌ、１０３Ｒと反対向きのパッシブラジエータを有する。第１および第２スピーカユニット１０２L、１０２Rそれぞれが有するスピーカとパッシブラジエータとの間の空間は、エンクロージャ１０１内の空間に接続されている。【選択図】図１
2018174581.tif 000002
【特許請求の範囲】
【請求項１】
聴者の首の後方から首両側面を経て左右斜め前方に位置させる首掛け状態にて、前記聴者の上胸の部位に位置する第１および第２スピーカユニットを備えたウェアラブルスピーカシステムであって、
前記第１および第２スピーカユニットそれぞれは、スピーカと該スピーカの反対向きのパッシブラジエータとを有することを特徴とする、ウェアラブルスピーカシステム。
【請求項２】
エンクロージャを備え、
前記エンクロージャの第１端部領域には、前記第１スピーカユニットが配置され、
前記エンクロージャの第２端部領域には、前記第２スピーカユニットが配置されることを特徴とする、請求項１に記載のウェアラブルスピーカシステム。
【請求項３】
前記エンクロージャは、Ｕ字形であることを特徴とする、請求項２に記載のウェアラブルスピーカシステム。
【請求項４】
前記エンクロージャは、前記首掛け状態にて、前記首の後方に位置する後方部と、前記首の一方の側方に位置し、前記後方部に接続する第１側方部と、前記首の他方の側方に位置し、前記後方部に接続する第２側方部と、を備えることを特徴とする、請求項２または請求項３ウェアラブルスピーカシステム。
【請求項５】
前記第１および第２スピーカユニットそれぞれが有する前記スピーカの背面側の空間は、前記エンクロージャ内の空間に接続され、
前記エンクロージャは、前記エンクロージャの前記第１端部領域および前記第２端部領域の間において、前記エンクロージャ内の空間を複数の空間に分離する隔壁を備えることを特徴とする、請求項２から請求項４のいずれかに記載のウェアラブルスピーカシステム。
【請求項６】
前記エンクロージャを前記聴者の首に掛けた場合、前記第１および第２スピーカユニットそれぞれが前記聴者の上胸に位置することを特徴とする、請求項２から請求項５のいずれかに記載のウェアラブルスピーカシステム。
【請求項７】
前記エンクロージャは、Ｕ字形であり、前記Ｕ字形の内側に第１緩衝部材を備えたことを特徴とする、請求項２から請求項６のいずれかに記載のウェアラブルスピーカシステム。
【請求項８】
前記エンクロージャの前記第１端部領域および前記第２端部領域と前記聴者との間に第２緩衝部材を備えたことを特徴とする、請求項２から請求項７のいずれかに記載のウェアラブルスピーカシステム。
【請求項９】
前記エンクロージャの前記パッシブラジエータが配置された側に第２緩衝部材を備えることを特徴とする、請求項２から請求項７のいずれかに記載のウェアラブルスピーカシステム。
【請求項１０】
前記パッシブラジエータは、前記首掛け状態における前記聴者の側に配置されていることを特徴とする、請求項１から請求項９のいずれかに記載のウェアラブルスピーカシステム。
【請求項１１】
前記第１および第２スピーカユニットそれぞれは、前記スピーカと前記パッシブラジエータと、の間に空間を有することを特徴とする、請求項１から請求項１０のいずかに記載のウェアラブルスピーカシステム。
【請求項１２】
Ｕ字状のエンクロージャと、
前記エンクロージャの第１端部領域に配置された第１スピーカユニットと、
前記エンクロージャの第２端部領域に配置された第２スピーカユニットと、
前記第１および第２スピーカユニットそれぞれは、スピーカと該スピーカの反対向きのパッシブラジエータとを有することを特徴とする、ウェアラブルスピーカシステム。
【請求項１３】
一方向に延びる第１延在部、前記一方向に延びる第２延在部、および前記第１延在部と前記第２延在部との前記一方向の一端側を接続する接続部を備えるエンクロージャと、
前記第１延在部における、前記一方向の他端側の第１端部領域に配置された第１スピーカユニットと、
前記第２延在部における、前記一方向の他端側の第２端部領域に配置された第２スピーカユニットと、を備え、
前記第１および第２スピーカユニットそれぞれは、スピーカと該スピーカの反対向きのパッシブラジエータとを有することを特徴とする、ウェアラブルスピーカシステム。
【発明の詳細な説明】
【技術分野】
【０００１】
本発明は、ウェアラブルスピーカシステムに関し、詳しくは、聴者が耳以外の部分に装着して使用するウェアラブルスピーカシステムに関する。
【背景技術】
【０００２】
音声を出力するスピーカシステムとして、例えばテレビジョン受信機などに内蔵されているものがある。しかし、内蔵されているスピーカシステムのスピーカは、大きな口径を有さず大音量が得られず、また、低音の再生が十分に行えず臨場感が不足する場合がある。臨場感を得るためには、大口径スピーカを有するスピーカシステムやヘッドフォンが使用される場合が多い。
【０００３】
大口径スピーカを有するスピーカシステムを用いる場合には、ある程度の空間の広さが必要であり、このため、移動しながら音楽などを楽しむということには向いていない。ヘッドフォンを用いる場合には、移動しながら音楽などを楽しむことはできるが、ヘッドフォンを用いる聴者は、周りの音が聞こえなくなる問題がある。また、ヘッドフォンの場合は、音像が聴者の頭内に定位するために長時間の使用により疲労感を感じる問題もある。
【０００４】
以上の問題を解消するため、特許文献１−４には、聴者の体に装着し、聴者の耳を塞がないウェアラブルスピーカシステムが開示されている。
【０００５】
特許文献１には、首掛け式のウェアラブルスピーカ装置が開示されており、スピーカが聴者の顎の下に位置するとともに耳の方向を向くようになっている。特許文献２および３には、首掛け部の両側にスピーカが設けられたウェアラブルスピーカ装置が開示されており、右肩には右耳用のスピーカが位置し、左肩には左耳用のスピーカが位置している。
【０００６】
特許文献４には、環状の首掛け式のウェアラブルスピーカ装置が開示されており、スピーカに加えてパッシブラジエータまたはバスレフポートを備え、特許文献１−３と異なり、低音の再生が可能であり、聴者に臨場感を与えることができる。
【先行技術文献】
【特許文献】
【０００７】
【特許文献１】特開２００９−２０１０８８号公報
【特許文献２】特開２００８−２６３３７４号公報
【特許文献３】特表平８−５１１１５１号公報
【特許文献４】国際公開第２０１６／０３９２４５号
【発明の概要】
【発明が解決しようとする課題】
【０００８】
上述のように特許文献１−３に記載のウェアラブルスピーカシステムにおいては、低音の再生に関する機構が備えられていない。また、特許文献４に開示されているウェアラブルスピーカ装置では、スピーカとパッシブラジエータおよびバスレフポートとが離れており、低音の再生が十分に行なえないことがあり、臨場感が不足する場合がある。
【０００９】
本発明は、上述のような実情に鑑みてなされたものであり、低音の再生によってより高い臨場感が得られるウェアラブルスピーカシステムを提供することをその目的とする。
【課題を解決するための手段】
【００１０】
上記課題を解決するために、本発明の第１の技術手段に係るウェアラブルスピーカシステムは、Ｕ字形のエンクロージャを備えるウェアラブルスピーカシステムであって、前記エンクロージャの第１端部領域には、第１スピーカユニットと、第１バスレフダクトの端部とが配置され、前記エンクロージャの第２端部領域には、第２スピーカユニットと、第２バスレフダクトの端部とが配置され、前記第１および第２スピーカユニットそれぞれは、スピーカと該スピーカの反対向きのパッシブラジエータとを有し、前記第１および第２スピーカユニットそれぞれが有する前記スピーカと前記パッシブラジエータとの間の空間は、前記エンクロージャ内の空間に接続されていることを特徴とする。
【００１１】
本発明の第２の技術手段は、本発明の第1の技術手段において、前記第１および第２バスレフダクトの本体部は、前記エンクロージャの中央部で交差していることを特徴とする。
【００１２】
本発明の第３の技術手段は、本発明の第１または第２の技術手段において、前記エンクロージャの前記第１端部領域および前記第２端部領域が相互に連通していることを特徴とする。
【００１３】
本発明の第４の技術手段は、本発明の第１または第２の技術手段において、前記エンクロージャの前記第１端部領域および前記第２端部領域の間を複数の空間に分離する隔壁を備えることを特徴とする。
【００１４】
本発明の第５の技術手段は、本発明の第１から第４のいずれかの技術手段において、前記エンクロージャを聴者の首に掛けた場合、前記第１バスレフダクトの端部および前記第２バスレフダクトの端部それぞれが、前記聴者の耳の下方に位置することを特徴とすることを特徴とする。
【００１５】
本発明の第６の技術手段は、本発明の第１から第５のいずれかの技術手段において、前記エンクロージャを聴者の首に掛けた場合、前記スピーカユニットが聴者の上胸に位置することを特徴とする。
【００１６】
本発明の第７の技術手段は、本発明の第１から第６のいずれかの技術手段において、前記エンクロージャの前記Ｕ字形の内側に第１の緩衝材を備えたことを特徴とする。
【００１７】
本発明の第８の技術手段は、本発明の第５から第７のいずれかの技術手段において、前記エンクロージャの前記第１端部領域および前記第２端部領域と前記聴者との間に第２の緩衝部材を備えたことを特徴とする。
【発明の効果】
【００１８】
本発明によれば、低音の再生によってより高い臨場感を得ることができるウェアラブルスピーカシステムを提供することができる。
【図面の簡単な説明】
【００１９】
【図１】本発明の実施形態１に係るウェアラブルスピーカシステムの正面図である。
【図２】本発明の実施形態１に係るウェアラブルスピーカシステムの断面図である。
【図３】本発明の実施形態１に係るウェアラブルスピーカシステムを説明するための図である。
【図４】本発明の実施形態２に係るウェアラブルスピーカシステムの正面透視図である。
【図５】本発明の実施形態２に係るウェアラブルスピーカシステムの正面透視図である。
【図６】本発明の実施形態３に係るウェアラブルスピーカシステムの正面透視図である。
【図７】本発明の実施形態３に係るウェアラブルスピーカシステムの正面透視図である。
【図８】本発明の実施形態４に係るウェアラブルスピーカシステムの正面透視図である。
【図９】本発明の実施形態５に係るウェアラブルスピーカシステムの正面透視図である。
【発明を実施するための形態】
【００２０】
以下、図面を参照しながら、本発明のウェアラブルスピーカシステムの好適な実施形態について説明する。なお、以下の説明において、異なる図面においても同じ符号を付した構成は同様のものであるとして、その説明を省略する場合がある。また、複数の実施形態を説明するが、組み合わせが可能である限り、実施形態は任意に組み合わせて実施することができる。
【００２１】
（実施形態１）
図１は、実施形態１に係るウェアラブルスピーカシステム１００の正面図である。ウェアラブルスピーカシステム１００は、エンクロージャ１０１を備える。エンクロージャ１０１は、正面から見た場合、略Ｕ字形となっている。エンクロージャ１０１を正面から見た場合の形状は、馬蹄形、∩字形などと表現することも可能である。エンクロージャ１０１は、中央部から図１において左斜め下方および右斜め下方の両方向に延びる部分と、該部分からエンクロージャ１０１の両先端に向かって図１において下方に延びる部分とを含む。
【００２２】
なお、ウェアラブルスピーカシステム１００の使用状態の一つとして、図３を参照して後述するように、エンクロージャ１０１の中央部を、聴者の首の後方に位置させ、エンクロージャ１０１の他の部分を、聴者の首の後方から首両側面を経て左右斜め前方に位置させる「首掛け状態」がある。以下では、ウェアラブルスピーカシステム１００に関する左右の方向および左右の関係それぞれを、ウェアラブルスピーカシステム１００を首掛け状態とした聴者にとっての左右の方向および左右の関係として説明する（これは、聴者の例えば「左耳」および「右耳」が聴者にとっての左右により決まることと整合している。）。したがって、以下の説明においては、図面に対する左右の方向および左右の関係とは逆の方向および逆の関係となる場合がある。
【００２３】
エンクロージャ１０１の両先端のうち左側の先端から所定の長さの部分を、第１端部領域（左端部領域）と称し、エンクロージャ１０１の両先端のうち右側の先端から所定の長さの部分を、第２端部領域（右端部領域）と称する。エンクロージャ１０１には、左側の先端から第１スピーカユニット１０２Lおよび第１バスレフダクトの端部となる第１開口部１０４Lがこの順に配置され、右側の先端から第２スピーカユニット１０２Rおよび第２バスレフダクトの端部となる開口部１０４Rがこの順に配置されている。エンクロージャ１０１の第１端部領域（左端部領域）の長さ（上記の「エンクロージャ１０１の両先端のうち左側の先端から所定の長さ」）は、第１スピーカユニット１０２Lと、第１開口部１０４Lとを含むために十分な長さと定義され、エンクロージャ１０１の第２端部領域（右端部領域）の長さ（上記の「エンクロージャ１０１の両先端のうち右側の先端から所定の長さ」）は、第２スピーカユニット１０２Rと、第２開口部１０４Rとを含むために十分な長さと定義される。
【００２４】
図２は、図１におけるＩ−Ｉ断面線におけるエンクロージャ１０１の第１端部領域（左端部領域）の先端から中央部分に至る途中の断面図である。図２には、エンクロージャ１０１の一部の断面、第１スピーカユニット１０２Lの断面および第１開口部１０４Lの断面が示されている。なお、エンクロージャ１０１の第２端部領域（右端部領域）の先端から中央部分に至る途中の断面図も、図２の図示における左右を逆にして符号を置き替えることにより得ることができるので、図示は省略する。
【００２５】
第１スピーカユニット１０２Lは、図２の上方に向けて開口を有するスピーカ１０３Lと図２の下方に向けて開口を有するパッシブラジエータ１０５Lとを備えている。言い換えると、スピーカ１０３Lの背面にパッシブラジエータ１０５Lが備えられている。また、スピーカ１０３Lとパッシブラジエータ１０５Lとは反対向きに第１スピーカユニット１０２Lに備えられている。スピーカ１０３Lは、スピーカ１０３Lを形成するフレーム１０３ａと、フレーム１０３ａに支持される磁気回路１０３ｂと、磁気回路１０３ｂとフレーム１０３ａとに接続される振動板１０３ｃとを有する。磁気回路１０３ｂは、図示しない磁石とボイスコイルとを備え、ボイスコイルは図示しないケーブルに接続され、ケーブルに供給される信号に応じて、振動板１０３ｃを振動させ、音声を発生させる。
【００２６】
パッシブラジエータ１０５Lは、パッシブラジエータ１０５Lを形成するフレーム１０５ａとフレーム１０５ａに接続される振動板１０５ｃとを有する。パッシブラジエータ１０５Lは、スピーカ１０３Lの振動板１０３ｃの振動による第１スピーカユニット１０２L内の気圧の変動に応じて振動板１０５ｃが振動し、音声を発生させる。このようにパッシブラジエータ１０５Lの振動板１０５ｃは、気圧の変動に応じて振動するのであり、磁気回路によって直接振動するのではないので、パッシブラジエータ１０５Lは、スピーカ１０３Lが発生する音声のうち、主に気圧変動の周波数が低い低音を第１スピーカユニット１０２Lの外に放射することになる。
【００２７】
したがって、スピーカ１０３Lが小口径のものであっても、スピーカ１０３Lの背面に反対向きに配置されたパッシブラジエータ１０５Lにより低音が強調して再生され、聴者は高い臨場感を得ることができる。
【００２８】
本実施形態においては、エンクロージャ１０１内の空間は、スピーカ１０３Lとパッシブラジエータ１０５Lとの間の空間に接続している。また、エンクロージャ１０１内には第１端部領域（左端部領域）および第２端部領域（右端部領域）を相互に連通する中空の空間（内部空間）が形成されている。したがって、スピーカ１０３Lの振動板１０３ｃの振動による第１スピーカユニット１０２L内の気圧の変動は、エンクロージャ１０１の内部空間にも伝わることになる。これにより、エンクロージャ１０１もスピーカ１０３Lの振動板１０３ｃの振動に応じて、振動し、さらにある程度の音声を発生させることが可能となる。同様に、スピーカ１０３Rの振動板１０３ｃの振動による第２スピーカユニット１０２R内の気圧変動は、エンクロージャ１０１の内部空間にも伝わることになる。これにより、エンクロージャ１０１もスピーカ１０３Rの振動板１０３ｃの振動に応じて、振動し、さらにある程度の音声を発生させることが可能となる。
【００２９】
また、エンクロージャ１０１内の空間は、第１端部領域（左端部領域）および第２端部領域（右端部領域）を連通するので、第１スピーカユニット１０２Lのスピーカ１０３Lの振動板１０３ｃの振動による気圧変化が第２スピーカユニット１０２Rに到達することが可能である。したがって、スピーカ１０３Lの振動板１０３ｃの振動による気圧変化が、第２スピーカユニット１０２Rのパッシブラジエータ（図示せず）の振動板の振動に影響を与える。また、同様に、第２スピーカユニット１０２Rのスピーカ１０３Rの振動板の振動による気圧変化が第１スピーカユニット１０２Lに到達し、第１スピーカユニット１０２Lのパッシブラジエータ１０５Lの振動板１０３ｃの振動に影響を与える。このため、従来の両耳を塞ぐヘッドフォンによる場合と、ウェアラブルスピーカシステム１００による場合とにおいて、音声の再生を比較すると、従来のヘッドフォンによる場合において左耳にのみ聞こえる音声であっても、ウェアラブルスピーカシステム１００による場合においては、一部成分が、第２スピーカユニット１０２Rのパッシブラジエータからも発生する。また、従来のヘッドフォンによる場合において右耳にのみ聞こえる音声であっても、ウェアラブルスピーカシステム１００による場合においては、一部成分が、第１スピーカユニット１０２Lのパッシブラジエータ１０５Lからも発生することになる。したがって、聴者には、左右の音声が対等ではないとしても混合して左右の各スピーカから再生されて聞こえるので、音像の定位位置が聴者の頭内から前方に位置したように感じることができ、臨場感を高めることができる。
【００３０】
なお、エンクロージャ１０１内の内部空間には、スピーカ１０３Lを駆動するためのケーブルを内部空間に配置してもよい。また、ケーブルに信号を供給し、スピーカ１０３Lを駆動するための駆動回路および駆動電源も内部空間に配置してもよい。
【００３１】
また、上述のように、第１開口部１０４Lは、第１バスレフダクト１０６Lの端部となっている。第１バスレフダクト１０６Lの他端部は、第１スピーカユニット１０２Lからエンクロージャ１０１内の空間に向かって延びている。したがって、スピーカ１０３Lの振動板１０３ｃの振動に応じて、エンクロージャ１０１の内部の気圧が変動すると、第１バスレフダクト１０６Lの他端部を介して第１開口部１０４Lから空気の出入りが発生し、この空気の出入りにより、聴者は低音を感じることができる。
【００３２】
なお、図２においては、第１スピーカユニット１０２Lの高さとエンクロージャ１０１の高さとを異ならせて示しているが、同じ高さとして、第１スピーカユニット１０２Lとエンクロージャ１０１との一体感をさらに大きくし、ウェアラブルスピーカシステム１００の看者に美観を生じさせる装飾的効果を得ることもできる。また、図１において、第１スピーカユニット１０２Lおよび第２スピーカユニット１０２Rの横方向における幅が、エンクロージャ１０１の幅と異なっているが、スピーカユニット１０２Lおよび第２スピーカユニット１０２Rの横方向の幅をエンクロージャ１０１の幅と同じにするようにすることも可能である。
【００３３】
図３は、聴者の首にウェアラブルスピーカシステム１００を掛け、エンクロージャ１０１の第１端部領域および第２端部領域が首の前方に位置し、エンクロージャ１０１の中央部が首の後方に位置するようにした状態（首掛け状態）を示す図である。図３に示すように聴者の首にウェアラブルスピーカシステム１００を掛けた場合、第１スピーカユニット１０２Lおよび１０２Rは、聴者の上胸の部位に位置することが好ましい。例えば、第１スピーカユニット１０２Lおよび第２スピーカユニット１０２Rは鎖骨上や乳房の上部に位置することが好ましい。これにより、スピーカ１０３Lおよび１０３Rの開口を上向きとしてウェアラブルスピーカシステム１００を掛けた場合、聴者は、パッシブラジエータ１０５Lおよび１０５Rから発せられる低音の振動を体で感じることが可能となる。また、エンクロージャ１０１の一部も聴者の首の後方や上胸部に接触するため、スピーカ１０３Lおよび１０３Rそれぞれの振動板１０３ｃの振動によるエンクロージャ１０１の振動、および振動により発生する音声を体で感じることができる。エンクロージャ１０１は、聴者の首を囲むように配置されているので、聴者はエンクロージャ１０１の振動および振動により発生する音声が体の周囲から発せられるように感じることができ、より高い臨場感を得ることができる。
【００３４】
また、図３に示すように聴者の首にウェアラブルスピーカシステム１００を掛けた場合、第１開口部１０４Lおよび第２開口部１０４Rそれぞれは、聴者の耳ＹLおよびＹRの下方に位置することが好ましい。これにより、聴者は、スピーカ１０３Lの振動板１０３ｃの振動による第１バスレフダクト１０６Lの他端部から本体部分を介した第１開口部１０４Lからの空気の出入りにより発生する低音を聞くことができる。また、聴者は、スピーカ１０３Rの振動板１０３ｃの振動による第２バスレフダクトの他端部から本体部分を介した第２開口部１０４Rからの空気の出入りにより発生する低音を聞くことができる。したがって、より高い臨場感を得ることができる。
【００３５】
以上のように、本実施形態によれば、スピーカ１０３Lおよびパッシブラジエータ１０５L、スピーカ１０３Rおよびパッシブラジエータ１０５R、ならびに、第１バスレフダクト１０６Lおよび第２バスレフダクト１０６Rにより、低音の再生が可能となり、聴者はより高い臨場感を得ることができる。
【００３６】
また、ウェアラブルスピーカシステム１００を首掛け状態にしても、ヘッドフォンとは異なり、聴者の耳を塞がない。したがって、音像が聴者の頭内に定位することがないので、疲労感を感じることが少ない。また、聴者の耳を塞がないことにより、聴者は周囲の音を聞くことができるので危険などを避けるために周囲に注意を払うことができる。また、ウェアラブルスピーカシステム１００を首掛け状態とすることにより、耳に近い位置に装着されるので、移動しても音場が変化することがなく、小さな音量でも十分な音圧を得ることができる。
【００３７】
以上のような本実施形態のウェアラブルスピーカシステム１００の使用場面としては、音楽再生装置、スマートフォンまたはタブレット型端末と組み合わせて音楽などを聞いたり、スマートフォンやタブレット端末の画面に表示される動画を音声付で視聴したりする場面が挙げられる。また、高齢者などにおいて、聴力の衰えにより聞きとりにくかったテレビの音声をウェアラブルスピーカシステム１００により耳元で再生することもできる。また、バーチャルリアリティーやオグメンティッドリアリティのシステムと組み合わせることにより、視覚および聴覚を通して高い臨場感を得ることもできる。
【００３８】
（実施形態２）
図４および図５は、本発明の実施形態２に係るウェアラブルスピーカシステム１００それぞれを正面から見た場合の正面透視図である。
【００３９】
図４は、第１バスレフダクト１０６Lおよび第２バスレフダクト１０６Rの本体部を点線により示している図である。第１バスレフダクト１０６Lおよび第２バスレフダクト１０６Rの本体部の長さは、スピーカ１０３Lおよび１０３Rから発せられる音声の低周波領域のどの範囲を強調したいのかに応じて、任意に選択することができる。一般に、第１バスレフダクト１０６Lおよび第２バスレフダクト１０６Rの本体部の長さをより大きくすると、より低い周波数の範囲が強調されることになる。
【００４０】
また、第１バスレフダクト１０６Lおよび第２バスレフダクト１０６Rは、以下に説明するように音声の定位位置にも関係し得る。例えば、図５に示すように第１バスレフダクト１０６Lおよび第２バスレフダクト１０６Rの本体部それぞれの長さをさらに大きくし、他端部１０７Lおよび１０７Rが、エンクロージャ１０１の中央部を超えて位置していてもよい。言い換えると、第１バスレフダクト１０６Lおよび第２バスレフダクト１０６Rの本体部がエンクロージャ１０１の中央部を含む領域で交差していてもよい。
【００４１】
このような第１バスレフダクト１０６Lおよび第２バスレフダクト１０６Rの構成によると、第１バスレフダクト１０６Lにより、第２スピーカユニット１０２Rにより発生する音声に対応した気圧変動が第１開口部１０４Lへ導かれ、第２バスレフダクト１０６Rにより、第１スピーカユニット１０２Lにより発生する音声に対応した気圧変動が第２開口部１０４Rに導かれる。このため、第１開口部１０４Lからは第２スピーカユニット１０２Rにより発生する音声に対応した空気の出入りが生じ、第２開口部１０４Rからは第１スピーカユニット１０２Lにより発生する音声に対応した空気の出入りが生じる。
【００４２】
したがって、聴者は、左耳で聞く音声に右側の音声が混合し、右耳で聞く音声に左側の音声が混合した状態で聞くことになるので、音声の定位位置が前に移動したように聞こえることになり、図４に示す構成よりも、より高い臨場感を得ることができる。
【００４３】
（実施形態３）
図６および図７は、本発明の実施形態３に係るウェアラブルスピーカシステム１００それぞれを正面から見た場合の正面透視図である。
【００４４】
図６および図７においてはエンクロージャ１０１の内部に配置されている部を点線により示している。例えば図６には、第１バスレフダクト１０６Lおよび第２バスレフダクト１０６Rの本体部が点線で示されているとともに、エンクロージャ１０１の中央部に隔壁１０８が配置されていることが点線で示されている。
【００４５】
隔壁１０８は、エンクロージャ１０１の内部空間を仕切る部材である。隔壁１０８により、エンクロージャ１０１の内部空間は、第１端部領域（左端部領域）の側の内部空間１０８1と、第２端部領域（右端部領域）の側の内部空間１０８2と、の二つの空間に分離される。内部空間１０８1は、第１開口部１０４Lおよび第１スピーカユニット１０２Lに接続され、内部空間１０８2は、第２開口部１０４Rおよび第２スピーカユニット１０２Rに接続される。このため、内部空間１０８1内の気圧変動は、内部空間１０８2へは伝わらなくなり、また、内部空間１０８2内の気圧変動は、内部空間１０８1へも伝わらなくなる。
【００４６】
このため、隔壁１０８により、第１スピーカユニット１０２Lおよび第２スピーカユニット１０２Rにより発生する音声の左右の分離特性が高じることによる所謂メリハリの利いた音声を聞くことができる。
【００４７】
なお、隔壁１０８は複数配置することができる。これにより、内部空間１０８1と内部空間１０８2とを、エンクロージャ１０１の半分以下の長さに調整することが可能である。
【００４８】
図７は、エンクロージャ１０１に二つの隔壁１０８Lおよび１０８Rを配置した状態を示す図である。二つの隔壁１０８Lおよび１０８Rの間には、スピーカ１０３Lおよび１０３Rを駆動する駆動電源および駆動回路、また、外部音源の入力部を配置することができる。外部音源の入力部として、例えばフォーンジャックをエンクロージャ１０１に設けると、フォーンジャックを介して空気の出入りが発生し得るので、ウェアラブルスピーカシステム１００の音響特性が変化する場合があるが、隔壁１０８Lおよび１０８Rの間にフォーンジャックを設けることにより、音響特性の変化を招来しないようにすることができる。
【００４９】
（実施形態４）
図８は、本発明の実施形態４に係るウェアラブルスピーカシステム１００の正面図である。これまでの実施形態との違いは、エンクロージャ１０１のＵ字形の内側に緩衝材１１０L、１１０Cおよび１１０Rによって首当て緩衝部材１０９が形成されている点である。なお、首当て緩衝部材１０９を第１緩衝部材と称呼する場合がある。
【００５０】
首当て緩衝部材１０９は、ウェアラブルスピーカシステム１００を図３に示したように首掛け状態とした場合に、スピーカ１０３Lおよび１０３Rそれぞれの振動板１０３ｂの振動により生じるエンクロージャ１０１の振動を低減させ、聴者に直接エンクロージャ１０１の振動が伝わるのを防止する。第１スピーカユニット１０２Lおよび第２スピーカユニット１０２Rから中高音が発せられ、その中高音による振動がエンクロージャ１０１を介して聴者の首の後方に伝わると、聴者が不快に感じる場合がある。そこで、中高音による振動を緩衝材１１０L、１１０Cおよび１１０Rにより減衰させる首当て緩衝部材１０９を
介して聴者に伝えることで、中高音による聴者の不快感を取り除くことができる。緩衝材の材料として、例えばゴムや発泡ポリウレタンあるいはバネなどの伸縮が可能な材料を用いることができる。
【００５１】
（実施形態５）
図９は、本発明の実施形態５に係るウェアラブルスピーカシステム１００の左側面図である。これまでの実施形態との違いは、エンクロージャ１０１の第１端部領域の下面に緩衝材１１２Lおよび１１３Lを介して胸当て緩衝部材１１１Lが備えられている点である。図９には、ウェアラブルスピーカシステム１００の右側面図は示していないが、ウェアラブルスピーカシステム１００の右側面も左側面から見たのと同様の構造とすることができる。なお、胸当て緩衝部材を第２緩衝部材と称呼する場合がある。
【００５２】
緩衝材１１２Lおよび１１３Lは、ウェアラブルスピーカシステム１００を図３に示したように首掛け状態とした場合に、スピーカ１０３Lおよび１０３Rそれぞれの振動板１０６ｂの振動による生じるエンクロージャ１０１の振動を低減させ、聴者の上胸の部位に直接エンクロージャ１０１の振動が直接伝わるのを防止する。スピーカ１０３Lおよび１０３Rから中高音が発せられると、その中高音による振動がエンクロージャ１０１を介して聴者の上胸部に伝わると、聴者が不快に感じる場合がある。そこで、中高音を、胸当て緩衝部材１１１Lを介して聴者に伝えることで、聴者には主に低音が胸当て緩衝部材１１１Lを介して伝えられ、聴者の不快感を取り除くことができる。緩衝材の材料として、例えばゴムや発泡ポリウレタンあるいはバネなどの伸縮が可能な材料を用いることができる。
【符号の説明】
【００５３】
１００…ウェアラブルスピーカシステム、１０１…エンクロージャ、１０２L、１０２R…スピーカユニット、１０３L，１０３R…スピーカ、１０４L…第１開口部、１０４R…第２開口部、１０３ａ…スピーカフレーム、１０３ｂ…磁気回路（永久磁石とボイスコイル）、１０３ｃ…振動板、１０５ａ…パッシブラジエータフレーム、１０５ｃ…振動板、１０６L…バスレフダクト。
【図１】
2018174581.tif 000003
【図２】
2018174581.tif 000004
【図３】
2018174581.tif 000005
【図４】
2018174581.tif 000006
【図５】
2018174581.tif 000007
【図６】
2018174581.tif 000008
【図７】
2018174581.tif 000009
【図８】
2018174581.tif 000010
【図９】
2018174581.tif 000011